(57)【要約】【課題】髪の清潔と健康、毛根、頭皮の血行を促進し発毛、育毛を促し濯ぎ時間の短縮、節水効果を上げる為のワンストップ付きシャワーブラシを提供する。【解決手段】ヘッド（１）先端部にジョイントリング（４）とキャップ（９）により複数の吐水口（６）を有し、更に複数のブラシ（７）に吐水突口（８）を共有したシャワーノズル（５）を取り付け、更にヘッド（１）にワンストップスイッチ（１０）を設ける。【選択図】    図１
2005013695.tif 000002
【特許請求の範囲】
【請求項１】
ワンストップ付きシャワーブラシにおいて、シャワーノズル（５）に複数の吐水口（６）と先端部に丸みを持たせた円錐状の複数の突起物（７）の中心部に吐水突口（８）を設け、ヘッド（１）にはワンストップスイッチを有するワンストップ付きシャワーブラシ。
【発明の詳細な説明】
【０００１】
【発明の属する技術分野】
本発明は、シャワーノズルに従来通りの複数の吐水口に加え、複数のブラシの中心先端部に吐水突口を設け、更にヘッド部にはワンストップスイッチを設ける。
洗髪するときの、シャンプーから濯ぎまでの一連の作業の中で、髪の深層部、毛根、頭皮をダイレクトに満遍なく濯ぐ事が出来る。
更にブラッシングしながら濯ぐ事で、水、ブラシ両方でダイレクトに頭皮、毛根へのマッサージが出来る。
よって髪、頭皮、毛根の清潔と頭皮の血行を促進し髪の健康を維持し発毛、育毛を促進すると共にワンストップスイッチにより必要に応じて手元で自由に吐止水調整が出来、節水にも配慮したワンストップ付きシャワーブラシに関するものである。
【０００２】
【従来の技術】
従来のシャワーヘッドは、シャワーノズルに複数の吐水口、吐水突口が設けられたものであった。
シャワーヘッドの先行技術文献は、登録実用新案広報第３００６４６４号がある。
【０００３】
この構造のシャワーヘッドで、髪をシャンプーし濯ぐ場合、水は、毛根まで達し、髪の深層部の濯ぎとブラッシングしながら濯ぐ事で、水、ブラシ両方で頭皮、毛根へのマッサージは出来ても、ワンストップスイッチが無い為に必要に応じて手元で自由に吐止水調整が出来なかった。そのため、節水までの配慮に欠けていた。
【０００４】
【発明が解決しようとする課題】
本発明の目的は、髪の表層部だけでなく髪の深層部、毛根、頭皮までもダイレクトに水を送り込んで髪の深層部、毛根、頭皮全体を満遍なく濯ぎ、髪、毛根、頭皮を清潔にすると共に、ブラッシングしながら濯ぐ事で、水、ブラシ両方でダイレクトに頭皮、毛根をマッサージし頭皮の血行を促進し髪の健康を維持し発毛、育毛を促進する。
従来のワンストップ機構は止水弁にゴム等、弾力性のある材料を使用したり、金属の様な硬質の材料でヘッドとの内径を寸法合わせをしていたが、使用中に油が切れて重たくなったり又、寸法合わせをする為の後加工に依る費用が重なっていたものを、本発明は、弁の肉厚を極力薄くし、更に滑りの良い材質で弾力に富んだ材質（ＰＯＭ、ＰＰ、テフロン等）によって、水圧が掛かった時に通水穴を塞ぐ様に工夫した。
本発明によって、ヘッドとの穴寸法が多少のガタがあり、そして滑り易い材料であるから無給油でもストップ弁の切り替えがスムーズに作動出来るようにしたワンストップスイッチにより必要に応じて手元で自由に吐止水調整が出来て、節水にも配慮したワンストップ付きシャワーブラシを提供する事にある。
【０００５】
【課題を解決するための手段】
本発明は、前記の目的を達成すべくなされたもので、シャワーノズル（５）に複数の吐水口（６）を有し、更に複数のブラシ（７）に吐水突口（８）を設ける。
更にヘッド（１）部にワンストップスイッチ（１０）を設ける。
以上のように構成されたワンストップ付きシャワーブラシである。
【０００６】
【発明の実施の形態】
本発明の実施の形態について説明する。ワンストップ付きシャワーブラシにおいて、シャワーノズル（５）に複数の吐水口（６）と先端部に丸みを持たせた円錐状の複数の突起物（７）の中心部に吐水突口（８）を設け、ヘッド（１）にはワンストップスイッチ（１０）を有するワンストップ付きシャワーブラシである。前記構成のワンストップ付きシャワーブラシによれば、水は装飾部（３）を施したグリップ（２）の内部のカートリッジキャップ（上）（１７）と（下）（１８）に固定し、カートリッジパイプ（１６）の（上）（下）に設けた遠赤外線を放出するセラミックを内蔵する受け、ストレーナー（２４）ストレーナーホルダー（上）（１９）とストレーナー（２５）ストレーナーホルダー（下）（１８）を通してワンストップスイッチ（１０）のボタン（ＯＮ）（１２）ボタン（ＯＦＦ）（１１）の操作により弁（１５）からヘッド（１）に送り込まれ、キャップ（９）で受けジョイントリング（４）で固定したシャワーノズル（５）の吐水口（６）ブラシ（７）の吐水突口（８）から吐水される。
複数の吐水口（６）からは髪の表層部に、複数の吐水突口（８）からは髪の深層部、毛根、頭皮までダイレクトに吐水され、ブラシ（７）で、ブラッシングしながら濯ぎ、ワンストップスイッチ（１０）で吐止水調整する。
したがって、吐水口、吐水突口から吐水される水により、髪の表層部、深層部、毛根、頭皮を満遍なく濯ぎ清潔を維持し、ブラッシングしながら濯ぐことで頭皮、毛根をマッサージして頭皮の血行を促進すると共に髪の健康を維持し発毛、育毛を促進する。
更にワンストップスイッチにより必要に応じて手元で自由に吐水調整が出来る為、節水効果も上がる。
【０００７】
【実施例】
以下、本発明の実施例をのべる。
本発明のワンストップ付きシャワーブラシは、ヘッド（１）の先端部にジョイントリング（４）とキャップ（９）により複数の吐水口（６）複数の吐水突口（８）を有したブラシ（７）を共有するシャワーノズル（５）を着脱自在に取り付ける。更にヘッド（１）には、ワンストップスイッチ（１０）を設ける。
本発明は、以上の構成によりなりたっている。
【０００８】
【発明の効果】
本発明のワンストップ付きシャワーブラシは、ヘッドに、複数の吐水口と複数の吐水突口を有するブラシを共有したシャワーノズルと、更にワンストップスイッチを共有したもので、水を複数の吐水口から髪の表層部、深層部まで送り込んで吐水させることが出来、更に必要に応じて手元で自由に吐水調整が出来る。
その結果、髪の表層部、深層部、毛根、頭皮全体を満遍なく濯ぎ清潔にし、濯ぎと同時にブラッシングしながら頭皮、毛根をマッサージすることにより、頭皮の血行を促進し髪の健康と発毛、育毛を促す。
更に髪の深層部にダイレクトに吐水する為濯ぎ時間の短縮と共に、必要に応じて手元で自由に吐水調整が出来る為、節水効果を上げることになる。
一般家庭はもとより、宿泊施設、理髪店、ペットショップ等で使用すれば上記の諸々の特徴で効果を上げることが出来る。
日頃から髪の健康を気遣っている人、又特に頭皮が敏感になってきて髪が細くなり抜毛等が気になり始めた人達には必需品となる。
【図面の簡単な説明】
【図１】本発明のワンストップ付きシャワーブラシ本体の斜視図である。
【図２】本発明のワンストップ付きシャワーブラシ本体のＡ−Ａ縦断面図である。
【図３】本発明のワンストップ付きシャワーブラシのワンストップスイッチ部のＢ−Ｂ縦断面図である。
【図４】ヘッド部の斜視図である。
【図５】ヘッド部の正面図及びＢ−Ｂ部断面図である。
【図６】ヘッド部の底面図である。
【図７】ヘッドＥ部の詳細図である。
【図８】ヘッド部のＡ−Ａ断面図である。
【図９】ヘッド部の左側面図である。
【図１０】ヘッド部の背面図である。
【図１１】ヘッド部のＤ−Ｄ断面図である。
【図１２】ヘッドＣ部の正面図である。
【図１３】ヘッドＦ部の詳細図である。
【図１４】ノズル部の斜視図である。
【図１５】ノズル部の平面図である。
【図１６】ノズル部の正面図である。
【図１７】ノズル部の底面図である。
【図１８】ノズル部のＡ−Ａ断面図である。
【図１９】ノズルＣ部の詳細図である。
【図２０】ノズル部のＢ−Ｂ断面図である。
【図２１】ノズルＤ部の詳細図である。
【図２２】ジョイントリング部の斜視図である。
【図２３】ジョイントリング部の平面図である。
【図２４】ジョイントリング部のＡ−Ａ断面図である。
【図２５】キャップ部の斜視図である。
【図２６】キャップ部の平面図である。
【図２７】キャップ部のＡ−Ａ断面図である。
【図２８】キャップ部の底面図である。
【図２９】キャップ部のＢ−Ｂ断面図である。
【図３０】キャップＣ部の詳細図である。
【図３１】ボタン（ＯＮ）部の斜視図である。
【図３２】ボタン（ＯＮ）部の平面図である。
【図３３】ボタン（ＯＮ）部の底面図である。
【図３４】ボタン（ＯＮ）部のＡ−Ａ断面図である。
【図３５】ボタン（ＯＮ）部のＢ−Ｂ断面図である。
【図３６】ボタン（ＯＮ）Ｃ部の詳細図である。
【図３７】ボタン（ＯＦＦ）部の斜視図である。
【図３８】ボタン（ＯＦＦ）部の平面図である。
【図３９】ボタン（ＯＦＦ）部の正面図である。
【図４０】ボタン（ＯＦＦ）部の底面図である。
【図４１】ボタン（ＯＦＦ）部のＡ−Ａ断面図である。
【図４２】ボタン（ＯＦＦ）Ｂ部の詳細図である。
【図４３】ジョイント−Ａ部の斜視図である。
【図４４】ショイント−Ａ部の平面図である。
【図４５】ジョイント−Ａ部の正面図である。
【図４６】ジョイント−Ａ部の底面図である。
【図４７】ジョイント−Ａ・Ｂ部の詳細図である。
【図４８】ジョイント−Ａ部のＡ−Ａ断面図である。
【図４９】ジョイント−Ａ・Ｃ部の詳細図である。
【図５０】ジョイント−Ｂ部の斜視図である。
【図５１】ジョイント−Ｂ部の平面図である。
【図５２】ジョイント−Ｂ部の正面図である。
【図５３】ジョイント−Ｂ部の底面図である。
【図５４】ジョイント−Ｂ部のＡ−Ａ断面図である。
【図５５】ジョイント−Ｂ・Ｂ部の詳細図である。
【図５６】ジョイント−Ｂ・Ｃ部の詳細図である。
【図５７】弁部の斜視図である。
【図５８】弁部の平面図である。
【図５９】弁部のＡ−Ａ断面図である。
【図６０】グリップ部の斜視図である。
【図６１】グリップ部の平面図である。
【図６２】グリップ部の正面図及びＢ−Ｂ断面図である。
【図６３】グリップ部の右側面図である。
【図６４】グリップ部の左断面図である。
【図６５】グリップＣ部の詳細図である。
【図６６】グリップ部のＡ−Ａ断面図である。
【図６７】グリップＤ部の詳細図である。
【図６８】カートリッジパイプ部の斜視図である。
【図６９】カートリッジパイプ部の平面図である。
【図７０】カートリッジパイプ部のＡ−Ａ断面図である。
【図７１】カートリッジパイプＢ部の詳細図である。
【図７２】カートリッジパイプＣ部の詳細図である。
【図７３】カートリッジキャップ（上）部の斜視図である。
【図７４】カートリッジキャップ（上）部の平面図である。
【図７５】カートリッジキャップ（上）部のＡ−Ａ断面図である。
【図７６】カートリッジキャップ（上）部の底面図である。
【図７７】カートリッジキャップ（上）Ｂ部の詳細図である
【図７８】カートリッジキャップ（上）Ｃ部の詳細図である。
【図７９】カートリッジキャップ（上）Ｄ部の詳細図である。
【図８０】カートリッジキャップ（下）部の斜視図である。
【図８１】カートリッジキャップ（下）部の平面図である。
【図８２】カートリッジキャップ（下）部Ａ−Ａ断面図である。
【図８３】カートリッジキャップ（下）部の底面図である。
【図８４】カートリッジキャップ（下）Ｂ部の詳細図である。
【図８５】カートリッジキャップ（下）Ｃ部の詳細図である。
【図８６】ストレーナーホルダー（上）部の斜視図である。
【図８７】ストレーナーホルダー（上）部の平面図である。
【図８８】ストレーナーホルダー（上）部のＡ−Ａ断面図である。
【図８９】ストレーナーホルダー（上）部の底面図である。
【図９０】ストレーナーホルダー（上）Ｂ部の詳細図である。
【図９１】ストレーナーホルダー（下）部の斜視図である。
【図９２】ストレーナーホルダー（下）部の平面図である。
【図９３】ストレーナーホルダー（下）部のＡ−Ａ断面図である。
【図９４】ストレーナーホルダー（下）部の底面図である。
【図９５】ストレーナーホルダー（下）Ｂ部の断面図である。
【図９６】装飾部の斜視図である。
【図９７】装飾部の平面図である。
【図９８】装飾部の正面図である
【図９９】装飾部の底面図である。
【図１００】装飾部Ａ−Ａ断面図である。
【図１０１】装飾部Ｂ−Ｂ断面図である。
【図１０２】装飾部左側面図である。
【図１０３】装飾Ｃ部の詳細図である。
【符号の説明】
１  ヘッド
２  グリップ
３  装飾部
４  ジョイントリング
５  シャワーノズル
６  吐水口
７  ブラシ
８  吐水突口
９  キャップ
１０  ワンストップスイッチ
１１  ボタン（ＯＦＦ）
１２  ボタン（ＯＮ）
１３  ジョイント−Ａ
１４  ジョイント−Ｂ
１５  弁
１６  カートリッジパイプ
１７  カートリッジキャップ（上）
１８  カートリッジキャップ（下）
１９  ストレーナーホルダー（上）
２０  ストレーナーホルダー（下）
２１  Ｏリング
２２  Ｏリング
２３  Ｏリング
２４  ストレーナー
２５  ストレーナー
【図１】
2005013695.tif 000003
【図２】
2005013695.tif 000004
【図３】
2005013695.tif 000005
【図４】
2005013695.tif 000006
【図５】
2005013695.tif 000007
【図６】
2005013695.tif 000008
【図７】
2005013695.tif 000009
【図８】
2005013695.tif 000010
【図９】
2005013695.tif 000011
【図１０】
2005013695.tif 000012
【図１１】
2005013695.tif 000013
【図１２】
2005013695.tif 000014
【図１３】
2005013695.tif 000015
【図１４】
2005013695.tif 000016
【図１５】
2005013695.tif 000017
【図１６】
2005013695.tif 000018
【図１７】
2005013695.tif 000019
【図１８】
2005013695.tif 000020
【図１９】
2005013695.tif 000021
【図２０】
2005013695.tif 000022
【図２１】
2005013695.tif 000023
【図２２】
2005013695.tif 000024
【図２３】
2005013695.tif 000025
【図２４】
2005013695.tif 000026
【図２５】
2005013695.tif 000027
【図２６】
2005013695.tif 000028
【図２７】
2005013695.tif 000029
【図２８】
2005013695.tif 000030
【図２９】
2005013695.tif 000031
【図３０】
2005013695.tif 000032
【図３１】
2005013695.tif 000033
【図３２】
2005013695.tif 000034
【図３３】
2005013695.tif 000035
【図３４】
2005013695.tif 000036
【図３５】
2005013695.tif 000037
【図３６】
2005013695.tif 000038
【図３７】
2005013695.tif 000039
【図３８】
2005013695.tif 000040
【図３９】
2005013695.tif 000041
【図４０】
2005013695.tif 000042
【図４１】
2005013695.tif 000043
【図４２】
2005013695.tif 000044
【図４３】
2005013695.tif 000045
【図４４】
2005013695.tif 000046
【図４５】
2005013695.tif 000047
【図４６】
2005013695.tif 000048
【図４７】
2005013695.tif 000049
【図４８】
2005013695.tif 000050
【図４９】
2005013695.tif 000051
【図５０】
2005013695.tif 000052
【図５１】
2005013695.tif 000053
【図５２】
2005013695.tif 000054
【図５３】
2005013695.tif 000055
【図５４】
2005013695.tif 000056
【図５５】
2005013695.tif 000057
【図５６】
2005013695.tif 000058
【図５７】
2005013695.tif 000059
【図５８】
2005013695.tif 000060
【図５９】
2005013695.tif 000061
【図６０】
2005013695.tif 000062
【図６１】
2005013695.tif 000063
【図６２】
2005013695.tif 000064
【図６３】
2005013695.tif 000065
【図６４】
2005013695.tif 000066
【図６５】
2005013695.tif 000067
【図６６】
2005013695.tif 000068
【図６７】
2005013695.tif 000069
【図６８】
2005013695.tif 000070
【図６９】
2005013695.tif 000071
【図７０】
2005013695.tif 000072
【図７１】
2005013695.tif 000073
【図７２】
2005013695.tif 000074
【図７３】
2005013695.tif 000075
【図７４】
2005013695.tif 000076
【図７５】
2005013695.tif 000077
【図７６】
2005013695.tif 000078
【図７７】
2005013695.tif 000079
【図７８】
2005013695.tif 000080
【図７９】
2005013695.tif 000081
【図８０】
2005013695.tif 000082
【図８１】
2005013695.tif 000083
【図８２】
2005013695.tif 000084
【図８３】
2005013695.tif 000085
【図８４】
2005013695.tif 000086
【図８５】
2005013695.tif 000087
【図８６】
2005013695.tif 000088
【図８７】
2005013695.tif 000089
【図８８】
2005013695.tif 000090
【図８９】
2005013695.tif 000091
【図９０】
2005013695.tif 000092
【図９１】
2005013695.tif 000093
【図９２】
2005013695.tif 000094
【図９３】
2005013695.tif 000095
【図９４】
2005013695.tif 000096
【図９５】
2005013695.tif 000097
【図９６】
2005013695.tif 000098
【図９７】
2005013695.tif 000099
【図９８】
2005013695.tif 000100
【図９９】
2005013695.tif 000101
【図１００】
2005013695.tif 000102
【図１０１】
2005013695.tif 000103
【図１０２】
2005013695.tif 000104
【図１０３】
2005013695.tif 000105